(57)【特許請求の範囲】
【請求項１】
蒸発器、吸収器、再生器及び凝縮器による循環サイクルによって空調機にて使用される冷水を得る吸収式冷温水機であって、
前記再生器に供給され、冷媒を吸収した吸収液を加熱する燃焼装置と、
前記燃焼装置において燃料として使用される木質ペレットを前記燃焼装置に対して供給する木質ペレット供給装置と、
前記燃焼装置にて木質ペレットを燃焼させて発生した灰を当該燃焼装置外部の灰貯蔵部まで導く灰排出装置と、
前記灰貯蔵部内の灰レベルを検出するレベルセンサと、
前記レベルセンサにより検出された灰レベルが所定の第１レベル以上となった場合に第１警報を行い、前記レベルセンサにより検出された灰レベルが前記第１レベルよりも高い第２レベル以上となった場合に第２警報を行うと共に燃焼運転を停止させる制御手段と、を備え、
前記灰排出装置は、所定時間毎に灰を灰貯蔵部まで導く灰出し運転を実行し、
前記レベルセンサは、灰レベルが前記第１レベル未満である場合にオフ信号を出力し、灰レベルが前記第１レベル以上となった場合にオン信号を出力し、灰レベルが前記第２レベル以上となった場合にオフ信号を出力し、
前記制御手段は、前記レベルセンサからオン信号が出力された後に前記灰排出装置により少なくとも１回灰出し運転が実行され、前記レベルセンサからオフ信号が出力された場合に、前記第２警報を行うと共に燃焼運転を停止させる
ことを特徴とする吸収式冷温水機。
【請求項２】
前記レベルセンサは、レーザ光を出射し、出射したレーザ光が物体に当たって反射した反射光を受信することにより、灰レベルを検出するレーザセンサである
ことを特徴とする請求項１に記載の吸収式冷温水機。
【発明の詳細な説明】
【技術分野】
【０００１】
本発明は、吸収式冷温水機に関する。
【背景技術】
【０００２】
従来、蒸発器、吸収器、再生器及び凝縮器の循環サイクルによって冷水を得ると共に、この冷水を空調機に供給して冷房に利用する吸収式冷温水機が知られている。このような吸収式冷温水機は、蒸発器において蒸発した冷媒を吸収器内の吸収液により吸収する。吸収液は吸収器における冷媒の吸収により濃度が低下する。このため、吸収液の濃度を高めるべく、吸収液は再生器に供給されて加熱される。これにより、吸収液に吸収された冷媒は蒸発し、吸収液の濃度が高まることとなる。
【０００３】
また、吸収式冷温水機には、再生器に供給された吸収液を加熱するためのバーナに木質ペレットを供給するものがある。このような吸収式冷温水機は、木質ペレットが燃焼することにより発生する灰をスクリューコンベアにより燃焼装置外部のドラム缶等まで導く構成となっている（特許文献１参照）
【先行技術文献】
【特許文献】
【０００４】
【特許文献１】特開２００６−２６６６１０号公報
【発明の概要】
【発明が解決しようとする課題】
【０００５】
ここで、特許文献１に記載の吸収式冷温水機は、木質ペレットを燃焼して発生した灰がドラム缶に溜まっていくこととなる。このため、灰が溜まったドラム缶は定期的に交換される必要がある。この交換が遅れてドラム缶から灰が溢れ出すようになってしまうと、灰はスクリューコンベア内に溜まることとなり、スクリューコンベアの破損や、スクリューコンベアを駆動するモータの故障の原因となってしまう。
【０００６】
本発明はこのような従来の課題を解決するためになされたものであり、その発明の目的とするところは、スクリューコンベアやモータ等の部品故障の可能性を低減させることが可能な吸収式冷温水機を提供することにある。
【課題を解決するための手段】
【０００７】
本発明の吸収式冷温水機は、蒸発器、吸収器、再生器及び凝縮器による循環サイクルによって空調機にて使用される冷水を得るものであって、再生器に供給され、冷媒を吸収した吸収液を加熱する燃焼装置と、燃焼装置において燃料として使用される木質ペレットを燃焼装置に対して供給する木質ペレット供給装置と、燃焼装置にて木質ペレットを燃焼させて発生した灰を当該燃焼装置外部の灰貯蔵部まで導く灰排出装置と、灰貯蔵部内の灰レベルを検出するレベルセンサと、レベルセンサにより検出された灰レベルが所定の第１レベル以上となった場合に第１警報を行い、レベルセンサにより検出された灰レベルが第１レベルよりも高い第２レベル以上となった場合に第２警報を行うと共に燃焼運転を停止させる制御手段と、を備えることを特徴とする。
【０００８】
この吸収式冷温水機によれば、灰貯蔵部内の灰レベルを検出し、検出された灰レベルが所定の第１レベル以上となった場合に第１警報を行うため、利用者は灰貯蔵部内の灰が一定レベルに達したことを知ることができ、灰貯蔵部の交換を促すことができる。また、検出された灰レベルが第２レベル以上となった場合に第２警報を行うと共に燃焼運転を停止させるため、例えば灰貯蔵部内の灰が溢れそうになっている状態を警報することができ、灰貯蔵部の交換を促すことができると共に、灰詰まりを防止すべく、運転を停止させることができる。従って、スクリューコンベアやモータ等の部品故障の可能性を低減させることができる。
【０００９】
また、この吸収式冷温水機において、灰排出装置は、所定時間毎に灰を灰貯蔵部まで導く灰出し運転を実行し、レベルセンサは、灰レベルが第１レベル未満である場合にオフ信号を出力し、灰レベルが第１レベル以上となった場合にオン信号を出力し、灰レベルが第２レベル以上となった場合にオフ信号を出力し、制御手段は、レベルセンサからオン信号が出力された後に灰排出装置により少なくとも１回灰出し運転が実行され、レベルセンサからオフ信号が出力された場合に、第２警報を行うと共に燃焼運転を停止させることを特徴とする。
【００１０】
この吸収式冷温水機によれば、レベルセンサからオン信号が出力された後に、少なくとも１回灰出し運転が実行され、レベルセンサからオフ信号が出力された場合に、第２警報を行うと共に燃焼運転を停止させる。このため、例えば、交換警報が出力される状態で灰の山が崩れた場合、レベルセンサからの信号はオンからオフに移行し、灰の山が崩れて灰レベルが第１レベル未満になったにも拘わらず、灰レベルが第２レベル以上になったと誤って判断してしまう可能性があるが、この場合には少なくとも１回灰出し運転が実行されていないことが多く、灰の山が崩れたことによる誤判定を防止することができる。従って、より適切に警報を行い、運転停止を行うことができる。
【００１１】
また、この吸収式冷温水機において、レベルセンサは、レーザ光を出射し、出射したレーザ光が物体に当たって反射した反射光を受信することにより、灰レベルを検出するレーザセンサであることが好ましい。
【００１２】
この吸収式冷温水機によれば、レーザセンサを用いるため、灰貯蔵部に灰が導かれ、灰により灰貯蔵部内が灰煙で充満するような場合であっても誤った灰レベルを検出し難くすることができる。
【発明の効果】
【００１３】
本発明によれば、スクリューコンベアやモータ等の部品故障の可能性を低減させることが可能な吸収式冷温水機を提供することができる。
【図面の簡単な説明】
【００１４】
【図１】本発明の実施形態に係る吸収式冷温水機の一例を示す構成図である。
【図２】木質ペレット供給装置の概略を示す構成図である。
【図３】灰排出装置の概略を示す構成図である。
【図４】本実施形態に係る吸収式冷温水機の動作の概略を示すタイミングチャートであって、警報動作等の概略を示している。
【図５】本実施形態に係る吸収式冷温水機の動作の詳細を示すフローチャートであって、警報動作等の動作を示している。
【発明を実施するための形態】
【００１５】
以下、本発明の好適な実施形態を図面に基づいて説明する。図１は、本発明の実施形態に係る吸収式冷温水機の一例を示す構成図である。なお、本実施形態では、いわゆる二重効用吸収冷温水機を一例として説明するが、これに限られるものではなく、単効用や三重効用の吸収冷温水機に適用してもよい。
【００１６】
図１に示すように、吸収冷温水機１は、高温再生器１０、分離器１２、低温再生器１４、凝縮器１６、蒸発器１８、吸収器２０、溶液循環ポンプ２２、高温及び低温溶液熱交換器２４，２６を備え、これらを配管接続することにより吸収冷凍サイクルを構成したものである。
【００１７】
高温再生器１０は、例えば冷媒となる水（以下、冷媒が蒸気化したものを冷媒蒸気と称し、冷媒が液化したものを液冷媒と称する）と、吸収液となる臭化リチウム（ＬｉＢｒ）とが混合された希溶液（吸収液の濃度が薄い溶液）を加熱するものである。この高温再生器１０には燃焼装置１０ａが設けられており、燃焼装置１０ａにより希溶液を加熱する構成となっている。また、高温再生器１０は、希溶液を加熱して希溶液から蒸気を放出させることにより、冷媒蒸気と中間濃溶液（吸収液の濃度が中程度の溶液）とを生成する。高温再生器１０は、これら冷媒蒸気と中間濃溶液とを分離器１２に供給する。
【００１８】
なお、燃焼装置１０ａは、高温再生器１０内の希溶液を加熱できれば、高温再生器１０内に設けられていてもよく、高温再生器１０に隣接配置されていてもよい。さらに、燃焼装置１０ａは、燃焼により得られた熱を高温再生器１０に導き、導かれた熱により希溶液を加熱する構成となっていてもよい。
【００１９】
分離器１２は、冷媒蒸気と中間濃溶液とを分離するものである。また、分離器１２は、分離した中間濃溶液を高温溶液熱交換器２４に供給し、分離した冷媒蒸気を低温再生器１４に供給する。
【００２０】
高温溶液熱交換器２４は、分離器１２から供給された中間濃溶液と、吸収器２０から溶液循環ポンプ２２により送られてきた希溶液とを熱交換するものである。また、高温溶液熱交換器２４は、熱交換により温度が低下した中間濃溶液を低温再生器１４に供給する。
【００２１】
低温再生器１４は、熱交換により温度が低下した中間濃溶液と、分離器１２から供給された冷媒蒸気と熱交換するものである。この低温再生器１４において、中間濃溶液は再加熱されることとなり、再び蒸気を放出して濃度の高い濃溶液となる。また、低温再生器１４は、濃溶液を低温溶液熱交換器２６に供給し、冷媒蒸気を凝縮器１６に供給する。
【００２２】
凝縮器１６は、低温再生器１４から供給された冷媒蒸気を液化させるものである。この凝縮器１６内には、冷水伝熱管１６ａが挿通されている。冷水伝熱管１６ａには冷却水が供給されており、蒸発した冷媒蒸気は冷水伝熱管１６ａ内の冷却水によって液化する。さらに、凝縮器１６は液冷媒貯蔵室１６ｂを有しており、液化した冷媒は液冷媒貯蔵室１６ｂにて貯蔵される。また、液冷媒貯蔵室１６ｂは、貯蔵した液冷媒を蒸発器１８に供給する。
【００２３】
蒸発器１８は、液冷媒を蒸発させるものである。この蒸発器１８内には、液冷媒分配器１８ａと冷水伝熱管１８ｂが設けられている。液冷媒分配器１８ａは、
液冷媒貯蔵室１６ｂから供給される液冷媒を導入し、液冷媒を冷水伝熱管１８ｂに向けて散布するものである。
【００２４】
冷水伝熱管１８ｂは、室内機と接続されており、室内機による冷却に利用されて暖められた水が流れている。また、蒸発器１８内は、略真空状態となっている。このため、冷媒である水の蒸発温度は約５℃となる。よって、冷水伝熱管１８ｂ上に落ちた液冷媒は冷水伝熱管１８ｂの温度によって蒸発することとなる。また、冷水伝熱管１８ｂ内の水は、液冷媒の蒸発によって温度が奪われる。これにより、冷水伝熱管１８ｂ内の水は冷水として室内機に供給され、室内機は冷水を利用して冷風を室内に供給することとなる。
【００２５】
また、蒸発器１８は、仕切りを介して吸収器２０と隣接して設けられており、蒸発した冷媒は、仕切りを越えて吸収器２０に供給される。
【００２６】
低温溶液熱交換器２６は、低温再生器１４において暖められた濃溶液と、吸収器２０から溶液循環ポンプ２２により送られてきた希溶液とを熱交換するものである。また、低温溶液熱交換器２６は、熱交換により温度が低下した濃溶液を吸収器２０に供給する。
【００２７】
吸収器２０は、蒸発器１８において蒸発した冷媒蒸気を吸収するものである。この吸収器２２内には低温溶液熱交換器２６から濃溶液が供給され、蒸発した冷媒蒸気は濃溶液によって吸収され、希溶液が生成される。また、吸収器２０には、冷水伝熱管２０ａが挿通されている。冷水伝熱管２０ａには冷却水が流れており、濃溶液の冷媒の吸収により吸収熱は、冷水伝熱管２０ａの冷却水により除去される。なお、この冷水伝熱管２０ａは、冷水伝熱管１６ａと接続されている。
【００２８】
また、吸収器２０は、冷媒の吸収により濃度が低下した希溶液を溶液循環ポンプ２２によって高温再生器１０に供給する。なお、希溶液は、上記したように、高温及び低温溶液熱交換器２４，２６により熱交換されて温度が低下した状態で高温再生器１０に供給される。
【００２９】
また、吸収式冷温水機１は、温度センサ２８と、制御装置（制御手段）３０とを備えている。温度センサ２８は、冷水伝熱管１８ｂの出口側（すなわち空調機に供給される側）の冷水温度を検出するものである。また、温度センサ２８は、検出した冷水温度を制御装置３０に送信する構成となっている。
【００３０】
制御装置３０は、吸収式冷温水機１の全体を制御するものである。この制御装置３０は、冷水伝熱管１８ｂの出口側の冷水温度に基づいて、燃焼装置１０ａを制御する。具体的に制御装置３０は、検出した冷水温度が高い場合には、燃焼装置１０ａの燃焼率を高めて冷水温度が低くなるように制御すると共に、冷水温度が低い場合には、燃焼装置１０ａの燃焼率を低めて冷水温度が高くなるように制御する。
【００３１】
さらに、本実施形態に係る吸収式冷温水機１は、木質ペレット供給装置４０と、灰排出装置５０とを備えている。図２は、木質ペレット供給装置４０の概略を示す構成図である。
【００３２】
図２に示す木質ペレット供給装置４０は、燃焼装置１０ａにおいて燃料として使用される木質ペレットを燃焼装置１０ａに対して供給するものであって、サイロ４１、スクリューコンベア４２、及び、モータ４３を備えている。ここで、木質ペレットとは、おが粉や、かんな屑等の製材副産物を圧縮成型した小粒の固形燃料である。
【００３３】
サイロ４１は、木質ペレットを貯蔵する貯蔵庫としての役割を果たすものである。このサイロ４１の先端には、燃焼装置１０ａまで延びる供給路４１ａが設けられており、サイロ４１内の木質ペレットは、供給路４１ａを通じて燃焼装置１０ａまで供給される。
【００３４】
スクリューコンベア４２は、供給路４１ａ内に配置されるスクリュー形状のコンベアである。供給路４１ａ内の木質ペレットは、スクリューコンベア４２が回転することにより燃焼装置１０ａまで供給される。モータ４３は、制御装置３０からの信号を受けてスクリューコンベア４２を回転動作させるものである。
【００３５】
図３は、灰排出装置５０の概略を示す構成図である。図３に示すように、灰排出装置５０は、燃焼装置１０ａにて木質ペレットを燃焼させて発生した灰を当該燃焼装置１０ａの外部のドラム缶５４まで導くものである。この灰排出装置５０は、灰排出路５１、スクリューコンベア５２、モータ５３、ドラム缶（灰貯蔵部）５４、及びレベルセンサ５５を備えている。
【００３６】
灰排出路５１は、燃焼装置１０ａからドラム缶５４まで灰を導く通路である。スクリューコンベア５２は、灰排出路５１内に配置されるスクリュー形状のコンベアである。灰排出路５１内の灰は、スクリューコンベア５２が回転することによりドラム缶５４まで導かれる。モータ５３は、制御装置３０からの信号を受けてスクリューコンベア５２を回転動作させるものである。ドラム缶５４は、燃焼装置１０ａにて発生した灰を貯蔵するものであって、作業者により定期的に交換されるものである。
【００３７】
レベルセンサ５５は、ドラム缶５４内の灰レベル、すなわち灰の高さを検出するものである。このレベルセンサ５５は、三角測量を応用した方式で灰の高さを検出するものであり、発光素子と光位置検出素子等の組み合わせで構成されている。このレベルセンサ５５において、発光素子から出射された光は投光レンズを通し集光され、測定対象物（本実施形態では灰）に照射される。測定対象物から拡散反射された光の一部は受光レンズを通して光位置検出素子上にスポットを形成する。その対象物が移動するごとにスポットも移動するので、レベルセンサ５５は、そのスポットの位置を検出することで対象物までの変位量を検出することとなる。このような、レベルセンサ５５は、検出した灰レベルが所定の第１レベル未満である場合にオフ信号を出力し、灰レベルが所定の第１レベル以上となった場合にオン信号を出力する。また、レベルセンサ５５は、検出した灰レベルが第１レベルよりも高い第２レベル以上となるとオフ信号を出力する。
【００３８】
さらに、本実施形態において制御装置３０は、灰レベルに応じて警報及び燃焼運転を緊急停止させる機能を備えている。具体的に制御装置３０は、レベルセンサ５５により検出された灰レベルが所定の第１レベル以上となった場合、すなわちレベルセンサ５５からの出力がオンになった場合に交換警報（第１警報）を行う。ここで、交換警報とは、ドラム缶５４内の灰が一定の高さまで達したことを示す警報であり、この交換警報によりドラム缶５４の交換が促されることとなる。なお、第１レベルは、ドラム缶５４の大きさ等により適宜決定される。
【００３９】
また、制御装置３０は、レベルセンサ５５により検出された灰レベルが第１レベルよりも高い第２レベル以上となった場合、すなわちレベルセンサ５５からの出力がオンになった後にオフに移行した場合に、異常警報（第２警報）を行うと共に燃焼運転を停止させる。ここで、異常警報とは、ドラム缶５４内の灰がより多量に入ったことを示す警報であり、この異常警報によりドラム缶５４の交換が緊急的に促される共に、燃焼運転の停止が報知されることとなる。
【００４０】
より詳細に制御装置３０は、レベルセンサ５５により検出された灰レベルが第１レベル以上となった後に灰排出装置５０により少なくとも１回灰出し運転が実行され、その後レベルセンサ５５により検出された灰レベルが第２レベル以上となった場合に、異常警報を行うと共に燃焼運転を停止させる。このため、例えば、交換警報が出力される状態で灰の山が崩れた場合、レベルセンサ５５からの信号はオンからオフに移行し、灰の山が崩れて灰レベルが第１レベル未満になったにも拘わらず、灰レベルが第２レベル以上になったと誤って判断してしまう可能性があるが、この場合には少なくとも１回灰出し運転が実行されていないため、灰の山が崩れたことによる誤判定を防止することができる。
【００４１】
図４は、本実施形態に係る吸収式冷温水機１の動作の概略を示すタイミングチャートであって、警報動作等の概略を示している。図４に示すように、まず、時刻０において所定の灰がドラム缶５４内に入っているとする。
【００４２】
そして、時刻ｔ１において灰排出装置５０により灰出し運転が開始されたとすると、灰レベルは増加することとなる。次いで、時刻ｔ２において灰出し運転が停止したとすると、灰レベルはその後一定のレベルを保つこととなる。なお、灰出し運転は、例えば１時間に１回４分間など、所定時間毎に制御装置３０からの指令によって実行される。
【００４３】
その後、時刻ｔ３において再度灰出し運転が開始されたとすると、灰レベルは高まっていく。そして、時刻ｔ４において灰レベルが第１レベルに達したとすると、レベルセンサ５５の出力はオンとなる。これにより、制御装置３０は、交換警報を出力し、作業者にドラム缶５４の交換を促すこととなる。ここで、本実施形態に係るレベルセンサ５５は、灰レベルが第１レベル以上第２レベル未満の場合にオン信号を出力し、それ以外の場合にオフ信号を出力するものである。
【００４４】
そして、時刻ｔ５において灰出し運転が停止し、時刻ｔ６〜ｔ７において灰出し運転が実行される。
【００４５】
次いで、時刻ｔ８において灰出し運転が再開され、時刻ｔ９において灰レベルが第２レベルに達したとする。これにより、レベルセンサ５５の出力はオフとなる。また、時刻ｔ５〜ｔ８の間の時刻ｔ６〜ｔ７において、１回の灰出し運転が実行されているため、制御装置３０は、異常警報を出力すると共に、燃焼運転を停止させることとなる。
【００４６】
なお、上記において制御装置３０は、灰レベルが第２レベル以上となったタイミングで、異常警報を出力し、燃焼運転を停止させるが、これに限らず、例えば以下のようにしてもよい。すなわち、制御装置３０は、灰レベルが第２レベル以上となった灰出し運転が停止し、規定時間（例えば５分）経過後の時刻ｔ１１において灰レベルが第２レベル以上を維持する場合に、異常警報を出力すると共に、燃焼運転を停止させてもよい。このように規定時間経過を待つことにより、灰をドラム缶５４に投入する際に生じる灰の拡散の影響を排除することができるからである。なお、規定時間を待つ処理は、レベルセンサ５５が灰レベルを検出する際に常に行ってもよい。これにより、常に灰レベルの検出精度を高めることができるからである。
【００４７】
次に、本実施形態に係る吸収式冷温水機１の動作の詳細を説明する。図５は、本実施形態に係る吸収式冷温水機１の動作の詳細を示すフローチャートであって、警報動作等の動作を示している。
【００４８】
図５に示すように、まずレベルセンサ５５は、灰レベルを検出する（Ｓ１）。次に、制御装置３０は、灰レベルが第１レベル以上であるか否かを判断する（Ｓ２）。灰レベルが第１レベル以上でないと判断した場合（Ｓ２：ＮＯ）、処理はステップＳ１に移行する。
【００４９】
一方、灰レベルが第１レベル以上であると判断した場合（Ｓ２：ＹＥＳ）、制御装置３０は、交換警報を出力する（Ｓ３）。そして、制御装置３０は、灰レベルが第１レベル以上と判断されてから、灰出し運転を実行したか否かを判断する（Ｓ４）。なお、ステップＳ４では、複数回灰出し運転を実行したか否かを判断するようにしてもよい。
【００５０】
灰出し運転を実行していないと判断した場合（Ｓ４：ＮＯ）、処理はステップＳ４に移行する。灰出し運転を実行したと判断した場合（Ｓ４：ＹＥＳ）、レベルセンサ５５は、再度灰レベルを検出する（Ｓ５）。次いで、制御装置３０は、灰レベルが第２レベル以上であるか否かを判断する（Ｓ６）。灰レベルが第２レベル以上でないと判断した場合（Ｓ６：ＮＯ）、処理はステップＳ５に移行する。
【００５１】
一方、灰レベルが第２レベル以上であると判断した場合（Ｓ６：ＹＥＳ）、制御装置３０は、異常警報を出力する（Ｓ７）。その後、制御装置３０は、燃焼運転を停止させる（Ｓ８）。その後、図５に示す処理は終了する。
【００５２】
このようにして、本実施形態に係る吸収式冷温水機１によれば、ドラム缶５４内の灰レベルを検出し、検出された灰レベルが所定の第１レベル以上となった場合に交換警報を行うため、利用者はドラム缶５４内の灰が一定レベルに達したことを知ることができ、ドラム缶５４の交換を促すことができる。また、検出された灰レベルが第２レベル以上となった場合に異常警報を行うと共に燃焼運転を停止させるため、例えばドラム缶５４内の灰が溢れそうになっている状態を警報することができ、ドラム缶５４の交換を促すことができると共に、灰詰まりを防止すべく、運転を停止させることができる。従って、スクリューコンベアやモータ等の部品故障の可能性を低減させることができる。
【００５３】
さらに、ドラム缶５４の交換が遅れてしまうと、燃焼装置１０ａにおける排ガス通路の詰まりなどを引き起こす可能性もあり、このような場合には燃焼効率が低下してしまう。しかし、本実施形態では燃焼効率の低下の可能性についても低減させることができる。
【００５４】
また、レベルセンサ５５からオン信号が出力された後に、少なくとも１回灰出し運転が実行され、レベルセンサ５５からオフ信号が出力された場合に、第２警報を行うと共に燃焼運転を停止させる。このため、例えば、交換警報が出力される状態で灰の山が崩れた場合、レベルセンサ５５からの信号はオンからオフに移行し、灰の山が崩れて灰レベルが第１レベル未満になったにも拘わらず、灰レベルが第２レベル以上になったと誤って判断してしまう可能性があるが、この場合には少なくとも１回灰出し運転が実行されていないことが多く、灰の山が崩れたことによる誤判定を防止することができる。従って、より適切に警報を行い、運転停止を行うことができる。
【００５５】
また、レベルセンサ５５にレーザセンサを用いるため、ドラム缶５４に灰が導かれ、灰によりドラム缶５４内が灰煙で充満するような場合であっても誤った灰レベルを検出し難くすることができる。
【００５６】
すなわち、レベルセンサ５５に赤外線センサを用いた場合には、灰煙により誤検出を起こしやすくなってしまうが、レーザセンサであると、このような事態が生じてしまう頻度を低減することができる。
【００５７】
以上、実施形態に基づき本発明を説明したが、本発明は上記実施形態に限られるものではなく、本発明の趣旨を逸脱しない範囲で、変更を加えてもよい。例えば、本実施形態に係る吸収式冷温水機１において各種構成や寸法等については図示したものに限られるものではない。
【符号の説明】
【００５８】
１…吸収式冷温水機
１０…高温再生器
１０ａ…燃焼装置
１２…分離器
１４…低温再生器
１６…凝縮器
１６ａ…冷水伝熱管
１６ｂ…冷媒貯蔵室
１８…蒸発器
１８ａ…液冷媒分配器
１８ｂ…冷水伝熱管
２０…吸収器
２０ａ…冷水伝熱管
２２…溶液循環ポンプ
２４…高温溶液熱交換器
２６…低温溶液熱交換器
３０…制御装置（制御手段）
４０…木質ペレット供給装置
４１…サイロ
４１ａ…供給路
４２…スクリューコンベア
４３…モータ
５０…灰排出装置
５１…灰排出路
５２…スクリューコンベア
５３…モータ
５４…ドラム缶（灰貯蔵部）
５５…レベルセンサ
【図１】
0005797489.tif 000002
【図２】
0005797489.tif 000003
【図３】
0005797489.tif 000004
【図４】
0005797489.tif 000005
【図５】
0005797489.tif 000006